(57)【特許請求の範囲】
【請求項１】
容器の口部に装着された中栓と、該中栓の外側を容器軸方向に移動可能に装着された移動栓体を備えた押し下げ開封式プラスチックキャップにおいて、
前記移動栓体は、該移動栓体の内部に向けて形成された架橋部と、該移動栓体の軸線方向の上方に向けて前記架橋部から突出して形成された栓部とを備え、
前記中栓は、前記容器の口部に取り付けられる取付部を備えた基部と、その基部の上端部に結合された先端部とを備え、
前記基部は、前記架橋部が挿入され、該架橋部を軸線方向にガイドするように該基部の側壁面を貫通して形成されたガイド部を備え、
前記先端部は、飲み口と前記容器の内容液を注出する注出口とを備え、
前記移動栓体が前記ガイド部に案内されて軸線方向の上方に移動した場合に、前記栓部と前記注出口とが密着して密封し、前記移動栓体が下方に移動した場合に、前記栓部が前記注出口から離隔して開封するとともに、前記飲み口が前記移動栓体の上端部より上方に露出するように構成されていることを特徴とする押し下げ開封式プラスチックキャップ。
【請求項２】
前記架橋部は、前記移動栓体の直径方向に架設して形成され、
前記栓部は、前記架橋部の中央に形成され、
前記ガイド部は、前記容器の中心軸線を線対称軸として前記基部の側壁に二箇所形成されていることを特徴とする請求項１に記載の開封式プラスチックキャップ。
【請求項３】
前記ガイド部は、前記基部の円周方向に切り取られた水平切取部と、該水平切取部の一端から前記容器の軸線方向に切り取られた垂直切取部とを備えていることを特徴とする請求項１または２に記載の押し下げ開封式プラスチックキャップ。
【請求項４】
前記水平切取部は、前記基部の上端面に対して傾斜して形成されていることを特徴とする請求項３に記載の押し下げ開封式プラスチックキャップ。
【請求項５】
前記移動栓体は、前記栓部と反対方向に延在して形成された開封棒を更に備え、
前記開封棒は、前記移動栓体が下方に押し下げられたときに、前記容器の口部を封止するシール部を破断して開封するように構成されていることを特徴とする請求項１ないし４のいずれかに記載の押し下げ開封式プラスチックキャップ。
【発明の詳細な説明】
【技術分野】
【０００１】
本発明は、プラスチック製ボトルなどの容器に装着され、スポーツなどの活動を行っている最中にワンタッチで移動栓体を移動させて容器を開封させることによって内容物を口にすることができるようにした、所謂、スポーツキャップと称されるプラスチックキャップに関するものであり、特に、キャップの移動栓体を押し下げて開封できる押し下げ開封式プラスチックキャップに関するものである。
【背景技術】
【０００２】
スポーツキャップと称されるプラスチックキャップは、特許文献１及び特許文献２に示されているように、ボトルなどの容器に栓体を装着し、その栓体の外側に移動栓体を移動可能に装着し、移動栓体を上方へ引き上げることにより栓体を開口させ、その状態で上方に移動させた移動栓体を口にくわえてボトル内の内容物を吸引若しくは押し出して飲むように構成されている。
【０００３】
例えば特許文献１に記載されているスポーツキャップは、移動栓体を栓体に対して擦り合わせた状態で上方へ引き上げるように構成されており、また特許文献２に記載されたスポーツキャップは、ネジ構造によって移動栓体を回転させて上方へ移動させるように構成されている。
【先行技術文献】
【特許文献】
【０００４】
【特許文献１】特開平１０−３５７０２号公報
【特許文献２】米国特許第５８１０１８５号明細書
【発明の概要】
【発明が解決しようとする課題】
【０００５】
上述した特許文献１や特許文献２に記載されているスポーツキャップは、開栓操作として移動栓体を容器に対して上方に移動させる構造であるから、容器を押さえた状態で移動栓体を引き上げ、あるいは回転させる必要がある。すなわち両手を使う必要があるので、スポーツなどの活動の最中に使用するキャップとしては操作性が必ずしも良好ではなかった。また、移動栓体に飲み口もしくは注出口となる開口部分が形成されているから、その移動栓体を手で触って操作する構造であるために、その飲み口もしくは注出口となる部分に触れてしまう可能性が多分にある。なお、移動栓体を歯や唇で引き上げることも可能ではあるが、子供にとっては難しい作業となる。このように従来では、スポーツ中などで手が汚れている場合には飲み口となる移動栓体に手を触れて飲み口が汚れて好ましくないので、飲み口に手を触れる必要の無いスポーツキャップの出現が望まれているのが実情である。
【０００６】
本発明は上記の事情に鑑み、移動栓体に手を触れても飲み口が汚れることのないスポーツキャップを提供することを課題としている。
【課題を解決するための手段】
【０００７】
上記の目的を達成するために、請求項１の発明は、容器の口部に装着された中栓と、該中栓の外側を容器軸方向に移動可能に装着された移動栓体を備えた押し下げ開封式プラスチックキャップにおいて、前記移動栓体は、該移動栓体の内部に向けて形成された架橋部と、該移動栓体の軸線方向の上方に向けて前記架橋部から突出して形成された栓部とを備え、前記中栓は、前記容器の口部に取り付けられる取付部を備えた基部と、その基部の上端部に結合された先端部とを備え、前記基部は、前記架橋部が挿入され、該架橋部を軸線方向にガイドするように該基部の側壁面を貫通して形成されたガイド部を備え、前記先端部は、飲み口と前記容器の内容液を注出する注出口とを備え、前記移動栓体が前記ガイド部に案内されて軸線方向の上方に移動した場合に、前記栓部と前記注出口とが密着して密封し、前記移動栓体が下方に移動した場合に、前記栓部が前記注出口から離隔して開封するとともに、前記飲み口が前記移動栓体の上端部より上方に露出するように構成されていることを特徴とするものである。
【０００８】
請求項２の発明は、請求項１の発明において、前記架橋部は、前記移動栓体の直径方向に架設して形成され、前記栓部は、前記架橋部の中央に形成され、前記ガイド部は、前記容器の中心軸線を線対称軸として前記基部の側壁に二箇所形成されていることを特徴とする押し下げ開封式プラスチックキャップである。
【０００９】
請求項３の発明は、請求項１または２の発明において、前記ガイド部は、前記基部の円周方向に切り取られた水平切取部と、該水平切取部の一端から前記容器の軸線方向に切り取られた垂直切取部とを備えていることを特徴とする押し下げ開封式プラスチックキャップである。
【００１０】
請求項４の発明は、請求項３の発明において、前記水平切取部は、前記基部の上端面に対して傾斜して形成されていることを特徴とする押し下げ開封式プラスチックキャップである。
【００１１】
請求項５の発明は、請求項１ないし４のいずれかの発明において、前記移動栓体は、前記栓部と反対方向に延在して形成された開封棒を更に備え、前記開封棒は、前記移動栓体が下方に押し下げられたときに、前記容器の口部を封止するシール部を破断して開封するように構成されていることを特徴とする押し下げ開封式プラスチックキャップである。
【発明の効果】
【００１２】
本発明によれば、飲み口もしくは注出口となる部分を直接開閉せずに、その飲み口もしくは注出口となる部分の外側に容器の軸線方向に上下動する移動栓体を取り付け、その移動栓体により容器の口部と飲み口もしくは注出口を連通させ、あるいはその連通を遮断するように構成されているので、飲み口もしくは注出口に触れることなく容器の口部を実質的に開栓することができる。すなわち、本発明によれば、飲み口もしくは注出口となる部分に触れる必要がないので、清潔な状態を保つことができる。
【００１３】
さらに、本願発明によれば、容器の口部がシール部材で密封されている場合であっても、開封棒によってそのシール部材を破断して開封することができるので、シール部材を容器の口部から取り外す手間が無い上に、容器の口部および飲み口に触れる必要が無いので、清潔な状態を保つことができる。
【図面の簡単な説明】
【００１４】
【図１】本発明の押し下げ開封式プラスチックキャップの正面側の断面図である。
【図２】本発明の押し下げ開封式プラスチックキャップの側面側の断面図である。
【図３】本発明の押し下げ開封式プラスチックキャップを開封させた場合における正面側の断面図である。
【図４】本発明の押し下げ開封式プラスチックキャップを開封させた場合における垂直切取部の部分で切断した断面図である。
【図５】本発明の押し下げ開封式プラスチックキャップにおける他の構成例を示した側面側の断面図である。
【図６】その開封式プラスチックキャップを開封した状態を示す垂直切取部の部分で切断した断面図である。
【発明を実施するための形態】
【００１５】
本発明の押し下げ開封式プラスチックキャップについて、好適な実施例を図面に従って説明する。図１は、本願発明の押し下げ開封式プラスチックキャップ１（以下、単に開封式キャップ１と記す。）の正面側の断面図であり、図２はその側面側の断面図である。図に示す開封式キャップ１は、ペットボトルやオレフィン樹脂製ボトルやパウチと呼ばれる袋状容器などの口部２０に着脱できるように構成された中栓４と、その中栓４の外周側に設けられて軸線方向に移動できるように構成された円筒形状の移動栓体３とによって構成されている。なお、図に示す例では、容器２の口部２０の外周面に雄ねじ部を形成し、その雄ねじ部と螺合する雌ネジ部を中栓４の内周面に形成して、容器４と開封式キャップ１とを螺着するように構成されている。
【００１６】
先ず、その中栓４の構造について説明する。この中栓４は、円筒状に形成されており、上記のように容器２の口部２０に螺合する基部５と、その基部５の上端部に接着剤などによって接着されて、もしくはその基部５と嵌合するように構成されて一体に形成された先端部６とによって構成されている。その基部５の下方側の内周面には、基部５が容器２の口部２０に螺着された場合に、その口部２０の先端部を覆い、その先端部と密着して容器２の内部に対して封止するように構成されたカバー部５５が形成されている。
【００１７】
また、基部５の下方部の外周面には、移動栓体３の外壁３０の内周面に摺接して液密状態とするように構成されたシール部５４が環状に形成されている。このシール部５４は、図に示したように、基部５の外周側に突出した環状凸部を形成しており、移動栓体３の外壁３０の内周面を押圧するように構成されいる。また、別異な構成として、基部５の側壁５０に環状の溝を形成し、その溝にパッキンやＯリングなどのシール部材を設けることによって封止するように構成してもよい。また、図に示す例では、基部５にシール部５４を形成するように構成されているが、要は、移動栓体３と基部５との隙間を液密状態にすることができればよいので、シール構造を移動栓体３に形成してもよい。
【００１８】
さらに、基部５の上方部の側壁５０には、図１に示すように、側壁５０の内面から外面に貫通した切取部が形成されている。具体的には、基部５０の上端部の水平面に対して所定の角度に傾斜した傾斜切取部５２と、その傾斜切取部５２の端部から軸線方向における下方に向けて形成された垂直切取部５３とが、容器２の中心軸線を線対称軸とし、傾斜切取部５２の周方向における延在方向を互いに同じ方向に延在させて二箇所形成されている。なお、垂直切取部５３の下端部は、上記シール部５４が設けられている位置より上方となるように形成されている。
【００１９】
また、中栓４の先端部６は、上端部に開口した飲み口６０と、その先端部６の下端部に開口した注出口６１とを備えている。その注出口６１における上方側の開口部の開口面積が、飲み口６０の開口面積より小さく形成され、また、注出口６１における下方側の開口部の開口面積が上方側の開口部の開口面積より大きくなるようにテーパー状に形成されている。そして、先端部６の下方部の外周面には、上述したシール部５４と同様に、移動栓体３の外壁３０の内周面に摺接して液密状態とするように構成されたシール部６２が環状に形成されている。すなわち、このシール部６２は、先端部６の外周側に突出した環状凸部を形成し、移動栓体３の外壁３０の内周面に押圧するように構成してもよく、先端部６の外周面に環状の溝を形成し、その溝にパッキンやＯリングなどのシール部材を設けることによって封止するように構成してもよい。また、図に示す例では、先端部６にシール部６２を形成するように構成されているが、要は、移動栓体３と先端部６との隙間を液密状態にすることができればよいので、シール構造を移動栓体３に形成してもよい。
【００２０】
上述したように構成された中栓４は、その中栓４の軸線方向における略中央部に切取部５２，５３が形成されており、その切取部５２，５３のうち傾斜切取部５２は、垂直切取部５３から離れるにつれて基部５と先端部６との隙間が小さくなるように構成されている。
【００２１】
ここで、移動栓体３の構造について説明する。図に示す移動栓体３は、円筒状に形成されており、上記中栓４の外周面を覆い、その中栓４の軸線方向に移動できるように構成されている。また、移動栓体３は、中栓４に組み付けられた状態で、上方に移動しているときに、その移動栓体３の上端部が、中栓４の上端部と同一もしくは若干上方に位置するように構成されている。さらに、移動栓体３の軸線方向における略中央部には、直径方向に延在する架橋部３１が一体に形成されている。この架橋部３１は、垂直断面が長方形に形成されており、その中央部には、先端部がテーパー状に形成された円柱状の栓部３２が図に示す上方に向けて一体に形成されている。具体的には、移動栓体３が中栓４に対して上方に移動した場合に、中栓４の注出口６１の下方側の開口部と栓部３２の先端部とが密着して液密状態とするように構成されている。また、架橋部３１の図に示す上下方向の幅は、栓部３２と中栓４の注出口６１の下方側の開口部と密着した状態で、上記基部５に形成されたそれぞれの傾斜切取部５２の隙間に嵌合するように形成されている。
【００２２】
ついで、上述した構成の開封式キャップ１の組立方法について説明する。上述したように中栓４を構成する基部５には、傾斜切取部５２と垂直切取部５３とが形成されており、移動栓体３には、直径方向に延在する架橋部３１が形成されている。したがって、その架橋部３１を各切取部５２，５３に挿入した状態で、中栓４を構成する先端部６を基部５の上端部に載置して接着もしくは嵌合させる。そして、その開封式キャップ１を容器２の口部２０に螺着する。なお、基部５を容器２の口部２０に螺着させた状態で移動栓体３および先端部６を組み付けてもよい。
【００２３】
上述したように構成された開封式キャップ１は、移動栓体３の架橋部３１が、中栓４を構成する基部５の各切取部５２，５３を通って設置されるので、移動栓体３は、それら切取部５２，５３に案内されて、すなわち、それら切取部５２，５３の壁面に沿って、容器２の円周方向および軸線方向に移動可能に保持される。なお、上述した構成では、基部５の円周方向に形成された切取部５２は傾斜して形成されているが、この切取部５２は、移動栓体３を円周方向にガイドしつつ、移動栓体３が重力によって下方に下がることを防止することができればよいので、単に基部５の上端部と平行に切り取った形状であってもよい。
【００２４】
つぎに、上述した構成の開封式キャップ１の作用について説明する。上述した構成の開封式キャップ１は、移動栓体３の架橋部３１が、基部５に形成された傾斜切取部５２に位置するときに注出口６１が封止される。すなわち、移動栓体３の架橋部３１が、基部５に形成された傾斜切取部５２に位置すると、その架橋部３１に形成された栓部３２の先端部が、中栓４を構成する先端部６の下方側の開口部と密着して封止する。この状態で、開封式キャップ１を開封する場合は、先ず、移動栓体３を円周方向に回動させて、基部５に形成された傾斜切取部５２から垂直切取部５３の位置に架橋部３１を移動させて、移動栓体３を押し下げる。すると、図３および図４に示すように、架橋部３１に形成された栓部３２と中栓４を構成する先端部６の下方側の開口部とが離隔するので、容器２の内部の内容液が注出口６１を通って注出可能となる。また、開封式キャップ１を封止している状態では、移動栓体３の上端部が、中栓４の先端部６における飲み口６０と同一もしくは若干上方となるように構成されているので、移動栓体３が押し下げられることにより、飲み口６０が露出する。
【００２５】
一方、この開封式キャップ１を再封止する場合には、移動栓体３を上方に押し上げた状態で回動させる。すなわち、移動栓体３における架橋部３１を垂直切取部５３の上方に移動させ、移動栓体３を回動させることによって架橋部３１を傾斜切取部５２に挿入して嵌合させる。すると、架橋部３１に形成された栓部３２と中栓４の注出口６１の下方側の開口部とが密着して、この開封式キャップ１が封止される。また、移動栓体３が上方に移動することによって露出していた飲み口６０の外周側が移動栓体３の外壁３０に覆われる。なお、上述したように架橋部３１の幅は、栓部３２と注出口６１の下方側の開口部とが密着した状態で傾斜切取部５２の隙間に嵌合するように構成されているので、開放式キャップ１を封止した状態で移動栓体３が不可避的に回動してしまうことを抑制する。
【００２６】
上述したように開封式キャップ１を構成することによって、飲み口６０に手を触れることなく開封することができるので、飲み口６０を汚すことなく開封することができる。また、移動栓体３は、架橋部３１が傾斜切取部５２の隙間に嵌合して固定されているのみであるので、容易に開栓することができるとともに、その移動栓体３は円筒状に形成されているので、他の物と接触してあるいは引っかかって不用意に開栓してしまうことを抑制もしくは防止することができる。
【００２７】
次に、本発明に係る押し下げ開封式プラスチックキャップ１の他の構成について説明する。図５および６は、本発明の押し下げ開封式プラスチックキャップ１の他の構成を説明するための断面図であって、図５は注出口６１’を封止している状態、図６は注出口６１’を開封している状態を示した図である。図に示す基礎となる構成は、上述した開封式キャップ１と同様である。図５および図６に示す容器２は、その容器２の密封性能を向上させて、容器２の殺菌と開封式キャップ１の殺菌とを別々に行うことができるようにしたものであって、そのため、容器２の口部２０には、ヒートシール蓋７が設けられている。
【００２８】
このように容器２の口部２０にヒートシール蓋７を設けている場合には、開封の際に、そのヒートシール蓋７を口部２０から除去もしくは破断させる必要がある。そのため、図に示す開封式キャップ１は、ヒートシール蓋７を破断させて開封することができるように構成されている。具体的にその構成について説明すると、上述した移動栓体３の架橋部３１には、容器２の口部２０に向かって延在する開封棒３３が固設されている。すなわち、上述した栓部３２と同軸上でかつ上下反対方向に突出し、先端部を鋭角に形成した開封棒３３を架橋部３１と一体に形成している。そのため、移動栓体３を容器２の方向に押し下げると、図６に示すように、開封棒３３がヒートシール蓋７を破断させて孔を空けて内溶液を口部２０から注出することができる。したがって、図に示す構成では、ヒートシール蓋７を容器２の口部２０から剥がす手間が無いので、口部２０および飲み口６０を衛生に保つことができる。その結果、飲み口６０から衛生的に内溶液を飲むことができる。
【００２９】
さらに、図に示す開封式キャップ１は、注出口６１’の開口部の直径を大きく形成し、かつその注出口６１’の縁を円筒形状に形成している。また、その注出口６１’に嵌入して密着するように栓部３２’を円柱形状に形成している。したがって、図に示す開封式キャップ１は、注出口６１’から注出される内容液の量を多くすることができるとともに、その注出口６１’と栓部３２’との接触面積を大きくすることにより、注出口６１’と栓部３２’とが面接触して、その密封性能を向上させることができる。
【符号の説明】
【００３０】
１…押し下げ開封式プラスチックキャップ、  ２…容器、  ２０…口部、  ３…移動栓体、  ３０…外壁、  ３１…架橋部、  ３２，３２’…栓部、  ３３…開封棒、  ４…中栓、  ５…基部、  ５０…側壁、  ５２…傾斜切取部、  ５３…垂直切取部、  ５４…シール部、  ５５…カバー部、  ６…先端部、  ６０…飲み口、  ６１，６１’…注出口、  ６２…シール部、  ７…ヒートシール蓋。
【図１】
0005815980.tif 000002
【図２】
0005815980.tif 000003
【図３】
0005815980.tif 000004
【図４】
0005815980.tif 000005
【図５】
0005815980.tif 000006
【図６】
0005815980.tif 000007